(57)【要約】【課題】 回転角を用いて保存されたデータを検索することによって、キー操作の不便さの解決を図ることのできる移動通信機器が開示される。【解決手段】 移動通信機器は、本体と、地表に対して鉛直方向である軸を基準にして本体が回転した回転角を検出する地磁気センサーと、回転角に対応するイメージデータが保存されたメインメモリと、イメージデータを画面上に表示するディスプレー部と、地磁気センサーから検出される回転角が変化すれば、メインメモリから変化された回転角に対応するイメージデータを抽出して画面上に表示するようディスプレー部を制御する制御部とを含む。【選択図】   図３
2005295560.tif 000002
【特許請求の範囲】
【請求項１】
本体と、
地表に対して鉛直方向である軸を基準にして前記本体が回転した回転角を検出する地磁気センサーと、
前記回転角に対応するイメージデータが保存されたメインメモリと、
前記イメージデータを画面上に表示するディスプレー部と、
前記地磁気センサーが検出する回転角が変化した場合に、前記変化した回転角に対応するイメージデータを前記メインメモリから抽出して画面上に表示するように前記ディスプレー部を制御する制御部と、
を含むことを特徴とする移動通信機器。
【請求項２】
前記メインメモリは、前記イメージデータに対応する電話番号を加えて記録することを特徴とする請求項１に記載の移動通信機器。
【請求項３】
外部信号を受信するキー入力部と、
所定のイメージデータが画面上に表示された状態で前記キー入力部を介して通話接続要求信号を受信した場合に、前記イメージデータに対応する電話番号にダイアリング（ｄｉａｌｉｎｇ）する通信モジュールと、
を更に含むことを特徴とする請求項２に記載の移動通信機器。
【請求項４】
前記通信モジュールは、前記イメージデータが画面上に表示された状態が所定時間継続した場合に、前記イメージデータに対応する電話番号に自動ダイアリングすることを特徴とする請求項３に記載の移動通信機器。
【請求項５】
前記制御部は、前記キー入力部を介して回転認識モードを選ぶ選択信号の入力があった場合に、前記メインメモリに記録された全てのイメージデータをそれぞれ対応する回転角方向に画面の縁部に表示するよう前記ディスプレー部を制御することを特徴とする請求項３に記載の移動通信機器。
【請求項６】
前記制御部は、前記メインメモリに記録された全てのイメージデータのうち前記地磁気センサーから検出された回転角に対応するイメージデータを画面の中央に表示するよう前記ディスプレー部を制御することを特徴とする請求項５に記載の移動通信機器。
【請求項７】
前記地磁気センサーは、
互いに直交するＸ軸およびＹ軸フラックスゲートを備え、各フラックスゲートから地磁気に対応する電気的な信号をそれぞれ検出する地磁気検出モジュールと、
前記Ｘ軸およびＹ軸フラックスゲートから検出された電気的な信号をそれぞれ所定のＸ軸およびＹ軸出力値に変換し出力する信号処理部と、
前記Ｘ軸およびＹ軸出力値をそれぞれの所定範囲の値に正規化（ｎｏｒｍａｌｉｚｉｎｇ）した後、正規化された前記Ｘ軸およびＹ軸出力値から前記回転角を演算する地磁気演算部と、
を含むことを特徴とする請求項１に記載の移動通信機器。
【請求項８】
前記地磁気演算部は、
第１象限：回転角＝tan-1 (Y/X)
第２象限および第３象限：回転角=180°+ tan-1 (Y/X)
第４象限：回転角=360°+ tan-1 (Y/X)
（なお、前記第１〜４象限は前記本体の回転範囲を９０°単位に割った単位分面、前記ＸおよびＹはそれぞれ前記正規化されたＸ軸およびＹ軸の出力値である）
に基づいて前記回転角を演算することを特徴とする請求項７に記載の移動通信機器。
【請求項９】
移動通信機器の情報検索方法であって、
（ａ）地表に対して鉛直方向である軸を基準にして前記移動通信機器が回転した回転角を検出するステップ、
（ｂ）前記回転角に対応するイメージデータを抽出するステップと、
（ｃ）前記イメージデータを画面上に表示するステップと、
（ｄ）前記回転角が変化した場合に、変化した回転角に対応するイメージデータを抽出して前記画面上に表示するステップと、
を含むことを特徴とする情報検索方法。
【請求項１０】
所定のイメージデータが画面上に表示された状態で通話接続信号を受信するステップと、
前記イメージデータに対応する電話番号にダイアリング（ｄｉａｌｉｎｇ）するステップと、
を更に含むことを特徴とする請求項９に記載の情報検索方法。
【請求項１１】
所定のイメージデータが画面上に表示された状態が所定時間継続した場合に、前記イメージデータに対応する電話番号に自動ダイアリングするステップを更に含むことを特徴とする請求項１０に記載の情報検索方法。
【請求項１２】
前記（ｃ）ステップは、保存された全てのイメージデータをそれぞれ対応する回転角方向に画面の縁部に表示し、前記移動通信機器の回転角に対応するイメージデータを画面の中央に表示することを特徴とする請求項１０に記載の情報検索方法。
【請求項１３】
前記（ａ）ステップは、２軸フラックスゲートセンサーを用いて前記回転角を検出することを特徴とする請求項９に記載の情報検索方法。
【請求項１４】
前記（ａ）ステップは、
２軸フラックスゲートから地磁気に対応する電気的な信号をそれぞれ検出するステップと、
前記２軸フラックスゲートから検出された電気的な信号をそれぞれ所定のＸ軸およびＹ軸出力値に変換し出力するステップと、
前記Ｘ軸およびＹ軸出力値をそれぞれの所定範囲の値に正規化（ｎｏｒｍａｌｉｚｉｎｇ）するステップと、
前記正規化されたＸ軸およびＹ軸出力値から前記回転角を演算するステップと、
を含むことを特徴とする請求項１３に記載の情報検索方法。
【請求項１５】
前記回転角は、
第１象限：回転角＝tan-1 (Y/X)
第２象限および第３象限：回転角=180°+ tan-1 (Y/X)
第４象限：回転角=360°+ tan-1 (Y/X)
（なお、前記第１〜４象限は前記本体の回転範囲を９０°単位に割った単位分面、前記ＸおよびＹはそれぞれ前記正規化されたＸ軸およびＹ軸の出力値である）
に基づいて演算されることを特徴とする請求項１４に記載の情報検索方法。
【発明の詳細な説明】
【技術分野】
【０００１】
本発明は、移動通信機器およびその通信方法に関し、詳細には、地磁気センサーを用いて回転状態を認識し、その回転状態によって保存データを検索することのできる移動通信機器およびその通信方法に関する。
【背景技術】
【０００２】
電子技術が発展するにつれて携帯電話、ＰＤＡ、ノート型パソコンのような様々な携帯型電子機器が開発かつ普及されている。特に、その普及率において最も高い割合を占めている携帯電話の場合、写真撮影機能、動画撮影機能、モバイルインターネット機能などが昔のモデルに比べて多様になっている。さらに、保存すべきデータ量が膨大になるにつれ、メモリ容量も大きくなり、保存されたデータを検索するための技術も様々になっている。
【０００３】
データ検索において、最も代表的な方法は、ボタンキーを使用する方法であって、ユーザは、設置されている数字ボタン、方向ボタンなどを用いて保存されたデータを検索することができる。この場合、グループ化、短縮ボタンを用いてより便利に検索することができ、最近では、音声認識技術により願望するデータを検索する方法も現れてきた。特に、携帯電話の場合、音声認識技術を用いて保存されている電話番号に繋がる技術を適用した製品が数年前から普及してきた。その他、ＰＤＡの場合はタッチスクリーン技術も使用される傾向となっている。
【０００４】
図１は、携帯電話１０に保存されている電話番号を検索するためにボタン１２を使用する時の模式図である。ユーザが携帯電話１０に設けられた数字キーや方向キーなどのボタン１２を操作し「電話番号探し」メニューを選択すると、図１に示したように、「名前で検索」、「番号で検索」、「短縮番号で検索」、「グループで検索」などの下位メニューが画面１１上に表示される。下位メニューのうち「グループで検索」が選択されると、ユーザが前もって保存しておいた家族、友達、職場、親戚、といった様々なグループリストが表示され、各グループに属している電話番号が検索できる。
【０００５】
このようにボタンを用いて電話番号を検索する場合、各メニューおよび下位メニューなどはツリー構造になっているため、毎回選択すべき事項が多くなり、検索時間もかかるようになる。さらに、年寄りや子どもなどといったキー操作に慣れてない人や、国語の分からない外国人の場合にも検索し難いという不具合がある。
【０００６】
一方、よく使う番号を短縮番号として保存してから、その短縮番号を入力するとその電話番号に繋がるといった技術も既に普及しているが、この場合、短縮番号をいつも記憶しなければならないという不具合がある。
【０００７】
図２は音声認識技術を用いて電話番号を検索する場合の模式図である。音声認識技術とは、各電話番号に対して対応する特定名称を発音すると、携帯電話１０がこれを認識して対応する電話番号に回線が繋がるという技術のことを指す。
【０００８】
しかし、音声認識過程で周りからのノイズ、発音問題などによってユーザが願望する情報を正確に検索することが無理な場合がある。このことから、最近では保存タイトルが類似した電話番号を全て抽出した後、ユーザが選択できるという仕組みとなっているが、この方法も面倒であり、時間がかかるという不具合がある。
【発明の開示】
【発明が解決しようとする課題】
【０００９】
本発明は前述した問題点を解決するために案出されたもので、本発明の目的は、回転状態を認識して保存されたデータを検索することのできる移動通信機器およびその方法を提供することにある。
【課題を解決するための手段】
【００１０】
以上の目的を達成するために、本発明の実施形態に係る移動通信機器は、本体と、地表に対して鉛直方向である軸を基準にして前記本体が回転した回転角を検出する地磁気センサーと、前記回転角に対応するイメージデータが保存されたメインメモリと、前記イメージデータを画面上に表示するディスプレー部と、前記地磁気センサーから検出される前記回転角が変化下場合に、前記変化した回転角に対応するイメージデータを前記メインメモリから抽出して画面上に表示するよう前記ディスプレー部を制御する制御部とを含む。
【００１１】
この場合、前記メインメモリは、前記イメージデータに対応する電話番号を加えて記録することができる。
好ましくは、本移動通信機器は、外部信号を受信するキー入力部と、所定のイメージデータが画面上に表示された状態で前記キー入力部を介して通話接続要求信号を受信した場合に、前記イメージデータに対応する電話番号にダイアリング（ｄｉａｌｉｎｇ）する通信モジュールとを更に含むことができる。
【００１２】
より好ましくは、前記通信モジュールは、前記イメージデータが画面上に表示された状態が所定時間継続された場合に、前記イメージデータに対応する電話番号に自動ダイアリングするように構成できる。
【００１３】
一方、前記制御部は、前記キー入力部を介して回転認識モードを選ぶ選択信号が入力された場合に、前記メインメモリに記録された全てのイメージデータをそれぞれ対応する回転角方向に画面の縁部に表示するよう前記ディスプレー部を制御することができる。
【００１４】
この場合、前記メインメモリに記録された全てのイメージデータのうち前記地磁気センサーから検出された回転角に対応するイメージデータを画面の中央に表示するが好適である。
【００１５】
本発明の１実施の形態として使用される前記地磁気センサーは、互いに直交するＸ軸およびＹ軸フラックスゲートを備え、各フラックスゲートから地磁気に対応する電気的な信号をそれぞれ検出する地磁気検出モジュールと、前記Ｘ軸およびＹ軸フラックスゲートから検出された電気的な信号をそれぞれ所定のＸ軸およびＹ軸出力値に変換し出力する信号処理部と、前記Ｘ軸およびＹ軸出力値をそれぞれの所定範囲の値に正規化（ｎｏｒｍａｌｉｚｉｎｇ）した後、正規化された前記Ｘ軸およびＹ軸出力値から前記回転角を演算する地磁気演算部とを含むことが好ましい。
【００１６】
一方、本発明の１実施の形態に係る移動通信機器における情報検索方法は、（ａ）地表に対して鉛直方向である軸を基準にして前記移動通信機器が回転した回転角を検出するステップ、（ｂ）前記回転角に対応するイメージデータを抽出するステップと、（ｃ）前記イメージデータを画面上に表示するステップと、（ｄ）前記回転角が変化した場合に、変化した回転角に対応するイメージデータを抽出して前記画面上に表示するステップとを含む。
【００１７】
好ましくは、所定のイメージデータが画面上に表示された状態で通話接続要求信号を受信するステップと、前記イメージデータに対応する電話番号にダイアリング（ｄｉａｌｉｎｇ）するステップとを更に含むことができる。
【００１８】
より好ましくは、所定のイメージデータが画面上に表示された状態が所定時間継続した場合に、前記イメージデータに対応する電話番号に自動ダイアリングするステップを更に含むことができる。
【００１９】
なお、前記（ｃ）ステップは、保存された全てのイメージデータをそれぞれ対応する回転角方向に画面の縁部に表示し、前記移動通信機器の回転角に対応するイメージデータを画面の中央に表示することが可能である。
【００２０】
さらに、前記（ａ）ステップは、２軸フラックスゲートセンサーを用いて前記回転角を検出することができる。なお、前記（ａ）ステップは、２軸フラックスゲートから地磁気に対応する電気的な信号をそれぞれ検出するステップと、前記２軸フラックスゲートから検出された電気的な信号をそれぞれ所定のＸ軸およびＹ軸出力値に変換し出力するステップと、前記Ｘ軸およびＹ軸出力値をそれぞれの所定範囲の値に正規化（ｎｏｒｍａｌｉｚｉｎｇ）するステップと、前記正規化されたＸ軸およびＹ軸出力値から前記回転角を演算するステップとを含むことが好ましい。
【発明の効果】
【００２１】
本発明によると、移動通信機器を回転させることによって保存されたデータを検索することができる。特に、携帯電話に保存されている電話番号を検索する場合、携帯電話を所定の角度回転させながら保存された電話番号に対応するイメージが画面上に表示されることによって容易に通話に繋がる。
【発明を実施するための最良の形態】
【００２２】
以下、添付の図面を参照して本発明の好適な実施例を詳述する。
【実施例】
【００２３】
図３は本発明の１実施の形態に係る移動通信機器２００の構成を示したブロック図である。同図によると、本移動通信機器２００は地磁気センサー１００、制御部２１０、キー入力部２２０、メインメモリ２３０、ディスプレー部２４０、および通信モジュール２５０を含んでいる。
【００２４】
キー入力部２２０は、数字キー、方向キーなどのボタンを備えており、ユーザのボタン操作による入力信号を制御部２１０に伝送する役割を果す。
地磁気センサー１００とは、人が感じられない地磁気の強さおよび方向を測定し、所定の出力値として検出する装置のことを意味する。移動通信機器２００に内蔵されている地磁気センサー１００は周辺地磁気を検出し移動通信機器２００本体の回転程度を測定する役割をする。すなわち、移動通信機器２００本体が地表に対して鉛直方向である軸を基準にして回転した回転角を測定して制御部２１０に伝送する。回転角は北側を０°とし、時計周りに測定する。
【００２５】
制御部２１０は、地磁気センサー１００から伝送された回転程度、即ち回転角を確認して対応する情報をメインメモリ２３０から抽出する。このため、メインメモリ２３０には所定範囲の回転角およびその回転角に対応する情報が前もって記録しておく。この場合、メインメモリ２３０に記録された情報は電話番号のみならず、その電話番号の対象イメージにもなり得る。一方、地磁気センサー１００の敏感度を考慮して回転角の誤差範囲を考慮することができる。例えば、誤差範囲を±５°程度にした場合、制御部２１０は地磁気センサー１００から−５°ないし５°範囲の回転角が抽出されれば０°を指していると認識し、６°ないし１５°範囲の回転角が抽出されれば１０°を指していると認識する。誤差範囲は製造者またはユーザが任意に設定できる。
【００２６】
制御部２１０はメインメモリ２３０から抽出された情報をディスプレー部２４０を介して画面上に表示できる。即ち、電話番号の対象イメージが抽出されれば、そのイメージを画面上に表示する。最近の携帯電話はカメラ付きであるため、直接被写体を撮影することで撮影された映像が対象イメージとして活用され得る。または、移動通信機器２００の製造会社が対象イメージを予め定義しておいて、そのイメージを活用することもできる。
【００２７】
一方、ユーザがキー入力部２２０を介して通話ボタンを入力すると、制御部２１０は通信モジュール２５０を制御し、メインメモリ２３０に保存された電話番号にダイアリング（ｄｉａｌｉｎｇ）する。この場合、ユーザが別の通話ボタンを入力しなくても所定時間の間、現状態が維持された場合に自動的に電話接続を試みる動作を行う。
【００２８】
一方、図４および図５はそれぞれ携帯電話２００にて回転認識方法で電話番号を検索する場合の画面表示状態の例を示した模式図である。
ユーザがキー入力部２２０を操作し、メニューのうち「回転認識モード」メニューを選択した場合、制御部２１０はメインメモリ２３０に保存されている全てのイメージデータを図４に示したように画面２４１上に表示する。この場合、北を０°にして地磁気センサー１００の敏感度を考慮して所定間隔で各イメージデータを配置する。図４は、ほぼ±５°程度の誤差範囲をおくことによって、真北を基準にして０°、１０°、２０、..３４０°、３５０°間隔で各イメージを表示している。すなわち、０°の位置で「ホーム」のイメージを、１０°の位置で「母」のイメージを、..３５０°の位置で「事務室」のイメージを配置している。これによって、保存された全体のデータが１つの画面上に表示されるため、ユーザは携帯電話２００を回転させることによって願望する対象を選択できる。ユーザが携帯電話２００を回転させると、その回転程度によって選択されるイメージを画面２４１中央に表示し、そのイメージの下端にタイトルや電話番号を表示する。
【００２９】
一方、図５では、現在の回転角に対応するイメージのみが画面２４１上に表示されている。すなわち、携帯電話２００はノート型パソコンやＰＤＡより画面２４１のサイズが小さいので、保存された全てのデータを１つの画面上にイメージとして表示するには困難である。したがって、現在の回転状態に対応するイメージのみを表示することができる。同図によると、現在、水平状態に置かれている携帯電話２００が北に向っているので、回転角は０°となり、画面２４１上には０°に対応する「ホーム」イメージが表示される。この場合、「ホーム」イメージの下端にはイメージの説明のためのタイトルや、電話番号が加えて表示され得る。係る状態で携帯電話２００を右側に１０°程度回転すると、画面２４１上には回転程度に対応する新たな「母」イメージが表示される。ユーザは通話しようとする対象が選択されるまで携帯電話２００を続けて回転させた後、所望の対象が表示されれば、その状態でキー入力部２２０を操作して電話接続を試みる。
【００３０】
なお、本発明の更なる実施形態によると、地磁気センサー１００の代わりチルトセンサー（傾斜測定センサー）、加速度センサー、ジャイロセンサーなどを用いて回転程度を測定することも可能である。
【００３１】
図６は図３に示した移動通信機器２００に使用された地磁気センサーの１実施形態であって、２軸フラックスゲートを用いて回転程度を測定するフラックスゲート型地磁気センサー１００の構成を示したブロック図である。フラックスゲート型地磁気センサーとは、パーマロイ（ｐｅｒｍａｌｌｏｙ）のような高透磁率材料を磁心として使用し、その磁心を巻いた駆動コイルを介して励起磁場を加え、磁心の磁気飽和および非線形磁気特性に応じて発生する外部磁場に比例する２次高調波成分を測定することにより、外部磁場のサイズおよび方向を測定する装置のことを指す。外部磁場のサイズおよび方向を測定することにより現在方位角が検出され、これにより回転程度を測定することが可能になる。同図によると、本地磁気センサー１００は、駆動信号生成部１１０、地磁気検出モジュール１２０、信号処理部１３０、地磁気演算部１４０、およびメモリ１５０を含む。
【００３２】
駆動信号生成部１１０は、地磁気検出モジュール１２０を駆動させる駆動信号を生成して出力する。駆動信号としては、一般にパルス波および反転パルス波を用いることができる。つまり、駆動信号生成部１１０は、パルス発生器（図示せず）、パルス制限部１１１、およびパルス増幅部１１２を含むことによって、パルス発生器から生成され出力されたパルスをパルス制限部１１１が制御信号に応じて選択的にスイッチした後、パルス増幅部１１２が増幅および反転増幅して出力する。パルス制限部１１１としてはアンドゲートが使用され得るし、アンドゲートの一端に印加された制御信号によってパルス発生器から出力されたパルスを出力する。
【００３３】
パルス増幅部１１２は、数個の増幅器、および反転器を使用することで、パルス制限部１１１を介して出力されたパルスに対して、互いに位相が反対である２つのパルス信号を地磁気検出モジュール１２０に印加する。
【００３４】
一方、地磁気検出モジュール１２０は、駆動信号生成部１１０から駆動信号が印加されると、地磁気に対応する所定の電気的信号を出力する。図６に示したように、Ｘ軸およびＹ軸フラックスゲート１２１、１２３は、四角リング形状である２つの磁性体コアが、それぞれ長手方向がＸ軸およびＹ軸の２方向にになるように配置されている。なお、磁性体コアそれぞれには駆動コイルおよび検出コイルが捲線されている。これによって、各駆動コイルに駆動パルスが印加されると、Ｘ軸およびＹ軸フラックスゲート１２１，１２３に磁気が発生し、これによる誘導起電力が検出コイルを介して検出されるようになる。
【００３５】
信号処理部１３０は、Ｘ軸およびＹ軸フラックスゲート１２１，１２３から検出される誘導起電力を一定の処理過程を経て所定デジタル値に変換してから出力する。詳細に、信号処理部１３０は、チョッピング（ｃｈｏｐｐｉｎｇ）回路部１３１、第１増幅部１３２、フィルタ１３３、第２増幅部１３４、およびＡ／Ｄコンバーター（Ｃｏｎｖｅｒｔｅｒ）１３５を含む。地磁気検出モジュール１２０から出力されたＸ軸およびＹ軸フラックスゲートに誘導された電気的信号は、チョッピング回路部１３１において内蔵されている数個のスイッチを制御してチョッピングされる。チョッピングされた電気的信号は第１増幅部１３２で差動増幅され、フィルタ１３３を介して一定範囲の信号のみをフィルタリングしてから、第２増幅部１３４で最終的に増幅される。増幅された信号はＡ／Ｄコンバーター１３５でデジタル電圧値に変換し出力される。
【００３６】
一方、地磁気演算部１４０は、信号処理部１３０から出力された実際出力値を所定範囲でマッピングさせる正規化過程を行う。このため、地磁気センサー１００の製造者は事前に水平状態で地磁気センサー１００を少なくとも１回以上回転させながら、Ｘ軸およびＹ軸フラックスゲート１２１，１２３の出力値を出力する。測定が完了すれば、測定された出力値のうち最大値および最小値を選択してメモリ１５０に記録する。
【００３７】
地磁気演算部１４０は、メモリ１５０に記録された最大値および最小値と、信号検出部１３０から検出されたＸ軸およびＹ軸出力値を次の数式１に代入して正規化を行う。
【００３８】
【数１】
2005295560.tif 000003
なお、ＸおよびＹはそれぞれＸ軸およびＹ軸フラックスゲート１２１，１２３の出力値、XnおよびYn はそれぞれＸおよびＹの正規化値、XmaxおよびXminはそれぞれＸの最大値および最小値、そして、YmaxおよびYminはそれぞれＹの最大値および最小値を示す。地磁気演算部１４０は予め測定されメモリ１５０に記録されたXmax、Xmin、YmaxおよびYminを数１に代入してXbias、Xscale、YbiasおよびYscaleを演算した後、再度これに基づいてXnおよびYnを演算する。
【００３９】
図７は、地磁気演算部１４０で正規化処理されたＸ軸およびＹ軸出力値のグラフである。同図によると、Ｘ軸の出力値はｃｏｓ関数グラフ７０１に示し、Ｙ軸の出力値はｓｉｎ関数グラフ７０２に示した。
【００４０】
地磁気演算部１４０はＸ軸およびＹ軸出力値に基づいて回転角を演算する。即ち、回転角ψは tan-1（Ｙ軸出力値／Ｘ軸出力値）として表示される。同図によると、Ｙ軸出力値／Ｘ軸出力値として表現されるｔａｎ関数グラフ７０３も示されている。
【００４１】
一方、 tan-1 関数値は、第１象限では０°ないし９０°範囲値を有しており、第２象限および第３象限では±９０°を有していると同時に、第４象限では−９０°ないし０°の範囲値を有している。結果的に、０°ないし３６０°の範囲を全て表すために、地磁気演算部１４０は次の数式２に基づいて回転角を演算する。
【００４２】
第１象限：回転角＝tan-1 (Y/X)
第２象限及び第３象限：回転角=180°+ tan-1 (Y/X)
第４象限：回転角=360°+ tan-1 (Y/X)
この数式２において、ＸおよびＹはそれぞれＸ軸およびＹ軸の出力値である。
【００４３】
地磁気演算部１４０から演算された回転角は制御部２１０に入力される。制御部２１０は前述したように、回転角に対応されるイメージおよび電話番号に対する情報をメインメモリ２３０から抽出し、該当イメージをディスプレー部２４０を介して画面２４１に示し、通信モジュール２５０を用いて該当の電話番号に電話をかける。
【００４４】
一方、本発明の更なる実施の形態によると、地磁気センサー１００は磁気抵抗センサー（Ｍａｇｎｅｔｉｃ  Ｒｅｓｉｓｔａｎｃｅ  Ｓｅｎｓｏｒ）、磁気インピーダンスセンサー（Ｍａｇｎｅｔｉｃ  Ｉｍｐｅｄａｎｃｅ  Ｓｅｎｓｏｒ）、ホルセンサー（Ｈａｌｌ  Ｓｅｎｓｏｒ）などの様々なセンサーを使用して回転程度を測定する。
【００４５】
図８は、本発明の１実施形態に係る移動通信機器２００において、回転状態によって電話番号を検索する方法を説明するためのフローチャートである。同図によると、まず、ユーザがキー入力部２２０を操作しメニューのうち「回転認識モード」メニューを選択する（Ｓ８１０）。
【００４６】
「回転認識モード」メニューが選択された場合に、地磁気センサー１００がＸ軸フラックスゲートおよびＹ軸フラックスゲートから所定の出力値を検出し、正規化を行うことで回転角を演算する（Ｓ８２０）。前述の通りに、地磁気センサー１００は数式１に基づいて正規化を行い、数式２に基づいて０°ないし３６０°との間の回転角を演算する。
【００４７】
制御部２１０は演算された回転角に対応するイメージ情報をメインメモリ２３０から抽出し、画面２４１上に表示させる（Ｓ８３０）。
ユーザが移動通信機器２００をさらに回転させ回転状態が変化すれば（Ｓ８４０）、継続的に変化する回転角を演算し画面２４１上に表示されるイメージを変更する。
【００４８】
一方、ユーザが現在の画面２４１上に特定イメージの表示された状態で「通話(ｓｅｎｄ)」ボタンを入力した場合（Ｓ８５０）、制御部２１０は表示されたイメージに対応する電話番号に電話をかけるように、通信モジュール２５０を制御する（Ｓ８７０）。
【００４９】
この場合、ユーザが別の「通話」ボタンを入力しない状態で所定時間が経過した場合に、自動に電話をかけるよう動作することもできる（Ｓ８６０）。
これによって、ユーザは別のキー操作なしに希望の電話番号に電話することができる。
【００５０】
以上、図面を参照して本発明の好適な実施形態を図示および説明してきたが、本発明の保護範囲は、前述の実施形態に限定するものではなく、特許請求の範囲に記載された発明とその均等物にまで及ぶものである。
【産業上の利用可能性】
【００５１】
本発明は複数の電話番号を保存した後、その保存された電話番号を検索して電話をかける携帯電話、ＰＤＡのような移動通信機器に使用され得る。
【図面の簡単な説明】
【００５２】
【図１】従来の携帯電話で電話番号検索方法の１例を示した模式図である。
【図２】従来の携帯電話で音声認識技術を用いて電話番号を検索する方法を示した模式図である。
【図３】本発明の１実施の形態に係る移動通信機器の構成を示したブロック図である。
【図４】本発明の１実施の形態に係る移動通信機器の画面表示状態の一例を示した模式図である。
【図５】本発明の１実施の形態に係る移動通信機器の画面表示状態の他の例を示した模式図である。
【図６】図３の移動通信機器で地磁気センサーとして使用されるフラックスゲートセンサーの構成を示したブロック図である。
【図７】図６に示したフラックスゲートセンサーの各軸の出力値を示したグラフである。
【図８】本発明の実施形態に係る移動通信機器で回転状態を認識して電話番号を検索する方法を説明するためのフローチャートである。
【符号の説明】
【００５３】
１００      地磁気センサー
１１０      駆動信号生成部
１２０      地磁気検出部
１３０      信号処理部
１４０      地磁気演算部
１５０      メモリ
２１０      制御部
２２０      キー入力部
２３０      メインメモリ
２４０      ディスプレー部
２５０      通信モジュール
【図１】
2005295560.tif 000004
【図２】
2005295560.tif 000005
【図３】
2005295560.tif 000006
【図４】
2005295560.tif 000007
【図５】
2005295560.tif 000008
【図６】
2005295560.tif 000009
【図７】
2005295560.tif 000010
【図８】
2005295560.tif 000011